(57)【要約】  【課題】セルフタイマー撮影モードの解除を適切に行い、カメラの使い勝手をよくする。  【解決手段】カメラは、セルフタイマー撮影モードにおけるセルフタイマー撮影回数を１回〜９回の間で任意に設定可能に構成される。制御回路１０１は、セルフタイマー撮影モードに設定された状態において設定されているセルフタイマー撮影回数に応じた撮影処理を終了すると、１コマ撮影モードおよび連続撮影モードのうち直近のモードに復帰させる。制御回路１０１は、セルフタイマー撮影モードに設定された状態で電源ダイヤルがオフ位置に操作されると、１コマ撮影モードおよび連続撮影モードのうち直近のモードに復帰させる。制御回路１０１は、セルフタイマー撮影モードに設定された状態でレリーズボタン（不図示）が半押し操作されない場合、通常時間Ｔ１を計時すると電圧Ｖ１の電源ラインによる電源供給をオフする。このとき、セルフタイマー撮影モードは解除させない。  【選択図】図１
2006138901.tif 000002
【特許請求の範囲】
【請求項１】
開始指示に応じて計時を開始し、計時終了に応じて１回の撮影を行うセルフタイマー撮影モード、および前記開始指示に応じて撮影を行う非セルフタイマー撮影モードのいずれかの撮影モードを択一的に設定する撮影モード設定手段と、
前記撮影モード設定手段により前記セルフタイマー撮影モードが設定されている場合に行った撮影回数を計数する計数手段と、
前記計数手段で計数された撮影回数があらかじめ設定されている所定数になると前記非セルフタイマー撮影モードへ設定変更するように前記撮影モード設定手段を制御するモード制御手段とを備えることを特徴とするカメラ。
【請求項２】
請求項１に記載のカメラにおいて、
前記非セルフタイマー撮影モードは、前記開始指示に応じて１回の撮影を開始する第１の撮影モードと前記開始指示が継続されている間は複数回の撮影を繰り返し行う第２の撮影モードとを含み、
前記撮影モード設定手段は、前記非セルフタイマー撮影モードへ設定変更する場合、前記第１の撮影モードおよび前記第２の撮影モードのうち前記セルフタイマー撮影モードへ設定される前に設定されていた撮影モードへ設定変更することを特徴とするカメラ。
【請求項３】
請求項２に記載のカメラにおいて、
前記撮影モード設定手段はさらに、前記セルフタイマー撮影モードに設定されている場合、メインスイッチオフ操作に応じて、前記第１の撮影モードおよび前記第２の撮影モードのうち前記セルフタイマー撮影モードへ設定される前に設定されていた撮影モードへ設定変更することを特徴とするカメラ。
【請求項４】
請求項３に記載のカメラにおいて、
カメラ操作が所定時間継続して操作されない場合に省電力動作を行う省電力制御手段をさらに備え、
前記撮影モード設定手段はさらに、前記セルフタイマー撮影モードに設定されている場合、前記省電力動作に応じて、前記第１の撮影モードおよび前記第２の撮影モードのうち前記セルフタイマー撮影モードへ設定される前に設定されていた撮影モードへ設定変更することを特徴とするカメラ。
【請求項５】
請求項３または４に記載のカメラにおいて、
前記モード制御手段は、前記非セルフタイマー撮影モードへ設定変更する場合に、前記計数手段が次回計数すべき所定数を１とすることを特徴とするカメラ。
【発明の詳細な説明】
【技術分野】
【０００１】
本発明は、セルフタイマー撮影モードを備えたカメラに関する。
【背景技術】
【０００２】
カメラのセルフタイマー撮影モードは、レリーズ指示から所定時間経過後に撮影動作を開始する撮影モードである。セルフタイマー撮影モードでセルフタイマー撮影が終了した後は、セルフタイマー撮影モードの設定を解除しておかないと次にレリーズ指示された場合にただちに撮影動作が開始されず、シャッターチャンスを逃してしまうことがある。しかしながら、１回のセルフタイマー撮影が終了するごとにセルフタイマー撮影モードの設定を解除してしまうと、セルフタイマー撮影を繰り返し行いたい場合には不都合である。特許文献１には、セルフタイマーをセット後にレリーズボタンを押圧すると、あらかじめ設定した間隔をおいてあらかじめ設定した回数の撮影を繰り返すカメラが開示されている。
【０００３】
【特許文献１】特開２００２−２３７９８６号公報
【発明の開示】
【発明が解決しようとする課題】
【０００４】
特許文献１のカメラは、セルフタイマーがセットされた状態でレリーズボタンが押圧されるとセルフタイマー撮影が起動し、設定されている回数の撮影を設定されている間隔で自動的に繰り返す。特許文献１にはセルフタイマー撮影モードの設定を解除するタイミングについての開示がないので、一連のセルフタイマー撮影が終了するとセルフタイマー撮影モードが解除されるのか、あるいは、解除操作が行われるまでセルフタイマー撮影モードが継続されるのかが不明である。したがって、撮影者の意図に反したタイミングでセルフタイマー撮影モードが解除されてしまう場合には、シャッターチャンスを逃したり、セルフタイマー撮影モードへの設定操作を繰り返す必要が生じたりして使い勝手が悪くなる。
【課題を解決するための手段】
【０００５】
本発明によるカメラは、開始指示に応じて計時を開始し、計時終了に応じて１回の撮影を行うセルフタイマー撮影モード、および開始指示に応じて撮影を行う非セルフタイマー撮影モードのいずれかの撮影モードを択一的に設定する撮影モード設定手段と、撮影モード設定手段によりセルフタイマー撮影モードが設定されている場合に行った撮影回数を計数する計数手段と、計数手段で計数された撮影回数があらかじめ設定されている所定数になると非セルフタイマー撮影モードへ設定変更するように撮影モード設定手段を制御するモード制御手段とを備えることを特徴とする。
請求項１に記載のカメラにおいて、非セルフタイマー撮影モードは開始指示に応じて１回の撮影を開始する第１の撮影モードと開始指示が継続されている間は複数回の撮影を繰り返し行う第２の撮影モードとを含み、この場合の撮影モード設定手段は、非セルフタイマー撮影モードへ設定変更する場合、第１の撮影モードおよび第２の撮影モードのうちセルフタイマー撮影モードへ設定される前に設定されていた撮影モードへ設定変更する。
請求項２に記載のカメラにおいて、セルフタイマー撮影モードに設定されている場合、メインスイッチオフ操作に応じて、第１の撮影モードおよび第２の撮影モードのうちセルフタイマー撮影モードへ設定される前に設定されていた撮影モードへ設定変更するように撮影モード設定手段を構成してもよい。
請求項３に記載のカメラはさらに、カメラ操作が所定時間継続して操作されない場合に省電力動作を行う省電力制御手段を備えてもよく、この場合の撮影モード設定手段は、セルフタイマー撮影モードに設定されている場合、省電力動作に応じて、第１の撮影モードおよび第２の撮影モードのうちセルフタイマー撮影モードへ設定される前に設定されていた撮影モードへ設定変更するとよい。
請求項３または４に記載のカメラにおいて、モード制御手段は、非セルフタイマー撮影モードへ設定変更する場合に、計数手段が次回計数すべき所定数を１とすることもできる。
【発明の効果】
【０００６】
本発明のカメラでは、セルフタイマー撮影モードが設定されている場合に行った撮影回数を計数し、計数した撮影回数があらかじめ設定されている所定数になると非セルフタイマー撮影モードへ設定変更するようにしたので、セルフタイマー撮影モードの解除が適切に行われ、カメラの使い勝手が向上する。
【発明を実施するための最良の形態】
【０００７】
以下、図面を参照して本発明を実施するための最良の形態について説明する。図１は、本発明の一実施の形態によるカメラの構成を示すブロック図である。図１において、制御回路１０１は、マイクロコンピュータなどによって構成される。制御回路１０１は、後述する各ブロックから出力される信号を入力して所定の演算を行い、演算結果に基づいて制御信号を各ブロックへ出力する。
【０００８】
制御回路１０１には電池１１から電源が供給される。電池１１の端子電圧をＥで表す。電源スイッチＳＷ１は、不図示の電源ダイヤルの回転操作に連動してオン／オフするスイッチであり、電源ダイヤルがオン位置にセットされるとオンし、電源ダイヤルがオフ位置にセットされるとオフする。スイッチＳＷ１の一方の端子は、制御回路１０１の入力ポートＩ1に接続されるとともに抵抗器１２を介して電池１１による電源ライン（電圧Ｅ）にプルアップされている。スイッチＳＷ１の他方の端子は接地されている。
【０００９】
半押しスイッチＳＷ２は、不図示のレリーズボタンの押し下げ操作に連動してオン／オフするスイッチであり、レリーズボタンが半押し位置より深く押下される状態でオンし、レリーズボタンの押し下げが半押し位置より浅くなるとオフする。スイッチＳＷ２の一方の端子は、制御回路１０１の入力ポートＩ2に接続されるとともに抵抗器１３を介して電池１１による電源ライン（電圧Ｅ）にプルアップされている。スイッチＳＷ２の他方の端子は接地されている。
【００１０】
全押しスイッチＳＷ３は、不図示のレリーズボタンの押し下げ操作に連動してオン／オフするスイッチであり、レリーズボタンが半押し位置よりさらに深い全押し位置まで押下される状態でオンし、レリーズボタンの押し下げが全押し位置より浅くなるとオフする。スイッチＳＷ３の一方の端子は、制御回路１０１の入力ポートＩ3に接続されるとともに抵抗器１４を介して後述する電源ライン（電圧Ｖ１）にプルアップされている。スイッチＳＷ３の他方の端子は接地されている。
【００１１】
撮影動作モードスイッチＳＷ４は、不図示の撮影動作モードボタンの押し下げ操作に連動してオン／オフするスイッチであり、撮影動作モードボタンが押下されるとオンし、撮影動作モードボタンの押下操作が解除されるとオフする。スイッチＳＷ４の一方の端子は、制御回路１０１の入力ポートＩ4に接続されるとともに抵抗器１５を介して電池１１による電源ライン（電圧Ｅ）にプルアップされている。スイッチＳＷ４の他方の端子は接地されている。
【００１２】
ＰＮＰトランジスタ１８は、エミッタ端子が電池１１による電源ライン（電圧Ｅ）に接続され、ベース端子が抵抗器１７およびインバータ１６を介して制御回路１０１の出力ポートＯ1に接続されている。出力ポートＯ1の信号出力が高レベルのとき、トランジスタ１８がオンしてコレクタ端子から電圧Ｖ１の電源を供給する。出力ポートＯ1の信号出力が低レベルのとき、トランジスタ１８がオフして電圧Ｖ１の電源供給を遮断する。
【００１３】
ＰＮＰトランジスタ２１は、エミッタ端子が電池１１による電源ライン（電圧Ｅ）に接続され、ベース端子が抵抗器２０およびインバータ１９を介して制御回路１０１の出力ポートＯ2に接続されている。出力ポートＯ2の信号出力が高レベルのとき、トランジスタ２１がオンしてコレクタ端子から電圧Ｖ２の電源を供給する。出力ポートＯ2の信号出力が低レベルのとき、トランジスタ２１がオフして電圧Ｖ２の電源供給を遮断する。電圧Ｖ２の電源は、後述するリモコン受光部１０８用の電源である。
【００１４】
スイッチＳＷ５およびＳＷ６は、不図示のメインコマンドダイヤルの回転操作に連動してオン／オフするスイッチであり、メインコマンドダイヤルの回転方向および回転量を示す操作信号を制御回路１０１へ出力する。制御回路１０１は、両スイッチからの信号の位相関係によって回転方向を検出し、信号パルス数によって回転量（ダイヤル操作量）を検出する。スイッチＳＷ５の一方の端子は、制御回路１０１の入力ポートＩ5に接続されるとともに抵抗器２２を介して電源ライン（電圧Ｖ１）にプルアップされている。スイッチＳＷ５の他方の端子は接地されている。スイッチＳＷ６の一方の端子は、制御回路１０１の入力ポートＩ6に接続されるとともに抵抗器２３を介して電源ライン（電圧Ｖ１）にプルアップされている。スイッチＳＷ６の他方の端子は接地されている。
【００１５】
スイッチＳＷ７およびＳＷ８は、不図示のサブコマンドダイヤルの回転操作に連動してオン／オフするスイッチであり、サブコマンドダイヤルの回転方向および回転量を示す操作信号を制御回路１０１へ出力する。制御回路１０１は、両スイッチからの信号の位相関係によって回転方向を検出し、信号パルス数によって回転量（ダイヤル操作量）を検出する。スイッチＳＷ７の一方の端子は、制御回路１０１の入力ポートＩ7に接続されるとともに抵抗器２４を介して電源ライン（電圧Ｖ１）にプルアップされている。スイッチＳＷ７の他方の端子は接地されている。スイッチＳＷ８の一方の端子は、制御回路１０１の入力ポートＩ8に接続されるとともに抵抗器２５を介して電源ライン（電圧Ｖ１）にプルアップされている。スイッチＳＷ８の他方の端子は接地されている。
【００１６】
シーケンススイッチＳＷ９は、不図示のシーケンス機構を構成し、不図示のミラーアップおよびダウンの動作タイミングなどを発生する。スイッチＳＷ９の一方の端子は、制御回路１０１の入力ポートＩ9に接続されるとともに抵抗器２６を介して電源ライン（電圧Ｖ１）にプルアップされている。スイッチＳＷ９の他方の端子は接地されている。
【００１７】
撮像素子１０２は、ＣＣＤイメージセンサなどによって構成される。撮像素子１０２は、撮影レンズＬを通過した被写体光による像を撮像し、撮像信号をＡ／Ｄ変換回路１０３へ出力する。撮像素子１０２の電源は、トランジスタ１８による電源ライン（電圧Ｖ１）によって供給される。撮像素子１０２の感度ＳＶは、たとえば、ＩＳＯ１００相当に設定されている。
【００１８】
Ａ／Ｄ変換回路１０３は、アナログ撮像信号をディジタル信号に変換する。撮像素子１０２およびＡ／Ｄ変換回路１０３は、タイミング回路１０４から出力される駆動信号によって所定の動作タイミングで駆動される。Ａ／Ｄ変換回路１０３およびタイミング回路１０４の電源は、トランジスタ１８による電源ライン（電圧Ｖ１）によって供給される。
【００１９】
撮像信号処理回路を構成するＡＳＩＣ１０５は、ディジタル変換後の信号に所定の画像処理を行う。画像処理は、ホワイトバランス（ＷＢ）調整処理、輪郭補償処理、ガンマ補正処理、画像データを所定の形式（たとえば、ＪＰＥＧ）で圧縮する圧縮処理、圧縮処理後のデータを伸長する伸長処理を含む。ＡＳＩＣ１０５の電源は、トランジスタ１８による電源ライン（電圧Ｖ１）によって供給される。
【００２０】
バッファメモリ１０６は、ＡＳＩＣ１０５によって信号処理された画像データを一時的に格納する。バッファメモリ１０６はＶＲＡＭ、ＳＲＡＭおよびＳＤＲＡＭなどが用いられる。バッファメモリ１０６の電源は、トランジスタ１８による電源ライン（電圧Ｖ１）によって供給される。記録媒体１０７は、着脱可能なフラッシュメモリなどによって構成される。記録媒体１０７は、バッファメモリ１０６に一時格納されている画像データを記録する。記録媒体１０７の電源は、トランジスタ１８による電源ライン（電圧Ｖ１）によって供給される。
【００２１】
リモコン受光部１０８は、リモコン装置１０９から送信される操作信号を受信し、この操作信号を制御回路１０１へ出力する。リモコン受光部１０８による制御回路１０１への信号出力は、制御回路１０１が出力するリセットコマンドを受信するまで継続される。リモコン受光部１０８は、トランジスタ２１から電圧Ｖ２の電源が供給されているときにのみ、以上の動作を行うように構成されている。したがって、制御回路１０１は、カメラがリモコンによる撮影モードに設定される場合にリモコン受光部１０８へ電源を供給し、カメラがリモコンによる撮影モードに設定されない場合はリモコン受光部１０８への電源供給を停止するように出力ポートＯ2から出力する信号レベルを切り替える。なお、リモコン装置１０９の電源は、電池１１とは別の電池２００によって供給される。
【００２２】
測光装置１１０は、撮影レンズＬを透過した光量を検出し、検出信号を制御回路１０１へ出力する。測光装置１１０は、光電変換素子を含むＩＣによって構成される。測光装置１１０の電源は、トランジスタ１８による電源ライン（電圧Ｖ１）によって供給される。
【００２３】
表示装置１１１は、液晶表示素子および駆動回路などによって構成され、制御回路１０１の指令によりカメラに設定されている撮影動作モード、シャッタ速度、および絞り値などを表示する。表示装置１１１の電源は、トランジスタ１８による電源ライン（電圧Ｖ１）によって供給される。
【００２４】
モータ駆動回路１１２は、制御回路１０１の指令によってシーケンスモータ１１３を駆動制御する。シーケンスモータ１１３は、上述したシーケンス駆動機構を構成し、不図示のミラーのアップ／ダウン、不図示の絞りの駆動、およびシャッタ１１５のチャージなどを行う。モータ駆動回路１１２の電源は、トランジスタ１８による電源ライン（電圧Ｖ１）によって供給される。シャッタ駆動回路１１４は、シャッタ１１５の不図示の先幕および後幕の保持および解除をそれぞれ制御する。シャッタ駆動回路１１４の電源は、トランジスタ１８による電源ライン（電圧Ｖ１）によって供給される。
【００２５】
絞り位置検出装置１１６は、絞り値に対応する絞り位置を検出して検出信号を制御回路１０１に出力する。絞り位置検出装置１１６の電源は、トランジスタ１８による電源ライン（電圧Ｖ１）によって供給される。絞り係止装置１１７は、駆動中の絞りを係止し、所定の絞り値で絞りを停止させる。絞り係止装置１１７の電源は、トランジスタ１８による電源ライン（電圧Ｖ１）によって供給される。
【００２６】
表示用ＬＥＤ１１９は、後述するセルフタイマー撮影モードにおけるセルタイマー作動中、および２秒リモコン撮影モードにおけるタイマー作動中を示す表示を行う。ＬＥＤ駆動回路１１８は、制御回路１０１の指令によって表示用ＬＥＤ１１９を点滅もしくは点灯表示させる。ＬＥＤ駆動回路１１８の電源は、トランジスタ１８による電源ライン（電圧Ｖ１）によって供給される。
【００２７】
上記カメラは、上述した撮影動作モードボタン（不図示）の操作に応じて「１コマ撮影モード」、「連続撮影モード」、「セルフタイマー撮影モード」および「リモコン撮影モード」のいずれかに設定する。「リモコン撮影モード」には、「２秒リモコン撮影モード」と「瞬時リモコン撮影モード」とが設けられている。
【００２８】
１コマ撮影モードは、全押しスイッチＳＷ３のオン操作によって１回の撮影動作を開始する動作モードである。連続撮影モードは、全押しスイッチＳＷ３のオン操作によって１回目の撮影動作を開始し、全押しスイッチＳＷ３がオンされている間は２回目以降の撮影動作を繰り返し行う動作モードである。セルフタイマー撮影モードは、全押しスイッチＳＷ３のオン操作から所定時間経過後に撮影動作を開始する動作モードである。リモコン撮影モードは、リモコン装置１０９からの操作信号に応じて撮影動作を開始する動作モードである。このうち２秒リモコン撮影モードは、リモコン装置１０９からの操作信号を受けてから２秒経過後に撮影動作を開始する動作モードである。瞬時リモコン撮影モードは、リモコン装置１０９からの操作信号を受けると直ちに撮影動作を開始する動作モードである。
【００２９】
本発明は、上述したカメラがセルフタイマー撮影モードに設定された場合の動作に特徴を有する。
【００３０】
カメラの制御回路１０１で行われるカメラ動作の処理の流れについて、図２〜図９のフローチャートを参照して説明する。図２のフローチャートによるプログラムは、カメラに電池１１（図１）が装填されると起動する。図２のステップＳ１において、制御回路１０１は以下の初期設定を行う。すなわち、撮影動作モードパラメータＤを１に、モード記憶パラメータＭを１に、リモコンフラグＲを０に、第１計時時間ｔを０に、セルフタイマー撮影回数パラメータｎを１に、それぞれセットしてステップＳ２へ進む。
【００３１】
撮影動作モードパラメータＤは、１コマ撮影モードの場合に１、連続撮影モードの場合に２、セルフタイマー撮影モードの場合に３、２秒リモコン撮影モードの場合に４、瞬時リモコン撮影モードの場合に５が、それぞれセットされる。モード記憶パラメータＭは、カメラがセルフタイマー撮影モード、２秒リモコン撮影モードおよび瞬時リモコン撮影モードのいずれかに設定変更される前（直近）において、１コマ撮影モードに設定されている場合に１、連続撮影モードに設定されている場合に２が、それぞれセットされる。
【００３２】
リモコンフラグＲは、２秒リモコン撮影モードおよび瞬時リモコン撮影モードのいずれかの場合（すなわち、リモコン受光部１０８へ電源供給する場合）に１、１コマ撮影モード、連続撮影モードおよびセルフタイマー撮影モードのうちいずれかの場合（すなわち、リモコン受光部１０８へ電源供給しない場合）に０が、それぞれセットされる。
【００３３】
第１計時時間ｔは、制御回路１０１内のタイマ回路による計時時間である。この計時は、トランジスタ１８からの電源ライン（電圧Ｖ１）およびトランジスタ２１からの電源ライン（電圧Ｖ２）による電源供給時間を計時する。ｔを０にセットすることで、第１計時時間ｔがリセットされる。各パラメータおよびフラグ類の値は、電池１１が装填されていれば制御回路１０１内のメモリに保持される。
【００３４】
セルフタイマー撮影回数パラメータｎは、セルフタイマー撮影モード以外の撮影動作モードに設定されるまでセルフタイマー撮影モードを保持する場合に０がセットされる。セルフタイマー撮影をｎ回行った後に１コマ撮影モードもしくは連続撮影モードへ設定を戻す場合には、セルフタイマー撮影を行う回数（ただし、ｎ＝１、２…、９）がセットされる。
【００３５】
ステップＳ２において、制御回路１０１は、出力ポートＯ1およびＯ2の出力信号を低レベルに設定してステップＳ３へ進む。これにより、電源ライン（電圧Ｖ１）および電源ライン（電圧Ｖ２）による電源は未供給状態にされる。
【００３６】
ステップＳ３において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ３を肯定判定してステップＳ４へ進み、入力ポートＩ1に高レベルの信号が入力されている（ＳＷ１がオフ）場合にステップＳ３を否定判定し、ステップＳ３の判定処理を繰り返す。
【００３７】
ステップＳ４において、制御回路１０１は、電源供給時間Ｔに通常時間Ｔ1（たとえば、８秒）をセットしてステップＳ５へ進む。ステップＳ５において、制御回路１０１は、第１計時時間ｔの計時を開始してステップＳ６へ進む。ステップＳ６において、制御回路１０１は、出力ポートＯ1の出力信号を高レベルに設定してステップＳ７へ進む。これにより、電源ライン（電圧Ｖ１）による電源供給が開始される。
【００３８】
ステップＳ７において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ７を肯定判定してステップＳ８へ進み、入力ポートＩ1に高レベルの信号が入力されている（ＳＷ１がオフ）場合にステップＳ７を否定判定し、ステップＳ１６へ進む。
【００３９】
ステップＳ８において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ８を肯定判定してステップＳ９へ進み、入力ポートＩ2に高レベルの信号が入力されている（ＳＷ２がオフ）場合にステップＳ８を否定判定し、ステップＳ１０へ進む。
【００４０】
ステップＳ９において、制御回路１０１は、第１計時時間ｔを０にリセットしてステップＳ１０へ進む。これにより、レリーズボタン（不図示）が半押し操作されると、電源供給時間が通常時間Ｔ1だけ延長される。ステップＳ１０において、制御回路１０１は、ｔ≧Ｔが成立するか否かを判定する。制御回路１０１は、ｔ≧Ｔが成立する場合にステップＳ１０を肯定判定して図６のステップＳ１１１へ進み、ｔ≧Ｔが成立しない場合にはステップＳ１０を否定判定し、ステップＳ１１へ進む。ｔ≧Ｔが成立するのは、いわゆる半押しタイマーがタイムアップする場合である。後述する設定処理（Ｓ１１）にて２秒リモコン撮影モード、瞬時リモコン撮影モードを選んでいない場合に半押し操作されずに通常時間Ｔ1（この例では８秒）が経過した場合である。
【００４１】
ステップＳ１１において、制御回路１０１は設定処理を行ってステップＳ１２へ進む。設定処理の詳細については後述する。ステップＳ１２において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１２を肯定判定してステップＳ１３へ進み、入力ポートＩ1に高レベルの信号が入力されている（ＳＷ１がオフ）場合にはステップＳ１２を否定判定し、ステップＳ１６へ進む。
【００４２】
ステップＳ１３において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ１３を肯定判定してステップＳ１４へ進み、入力ポートＩ2に高レベルの信号が入力されている（ＳＷ２がオフ）場合にステップＳ１３を否定判定し、ステップＳ１５へ進む。
【００４３】
ステップＳ１４において、制御回路１０１は、第１計時時間ｔを０にリセットしてステップＳ１５へ進む。これにより、レリーズボタン（不図示）が半押し操作されると、電源供給時間が時間Ｔ1だけ延長される。ステップＳ１５において、制御回路１０１は、ｔ≧Ｔが成立するか否かを判定する。制御回路１０１は、ｔ≧Ｔが成立する場合にステップＳ１５を肯定判定して図６のステップＳ１１１へ進み、ｔ≧Ｔが成立しない場合にはステップＳ１５を否定判定し、図３のステップＳ３１へ進む。
【００４４】
ステップＳ１６において、制御回路１０１は、出力ポートＯ1の出力信号を低レベルに設定してステップＳ１７へ進む。これにより、電圧Ｖ１の電源ラインによる電源供給が停止される。ステップＳ１７において、制御回路１０１は、リモコンフラグＲ＝１か否かを判定する。制御回路１０１は、Ｒ＝１（２秒リモコン撮影モードまたは瞬時リモコン撮影モード）の場合にステップＳ１７を肯定判定してステップＳ１８へ進み、Ｒ＝０（リモコン撮影モードでない）の場合にステップＳ１７を否定判定し、ステップＳ２３へ進む。
【００４５】
ステップＳ１８において、制御回路１０１は、出力ポートＯ2の出力信号を低レベルに設定してステップＳ１９へ進む。これにより、電圧Ｖ２の電源ラインによるリモコン受光部１０８への電源供給が停止される。
【００４６】
ステップＳ１９において、制御回路１０１は、リモコンフラグＲを０にセットしてステップＳ２０へ進む。ステップＳ２０において、制御回路１０１は、モード記憶パラメータＭの値を撮影動作モードパラメータＤにセットするとともに、Ｍに対応する直近の撮影動作モードに設定変更してステップＳ２１へ進む。直近の撮影動作モードは、１コマ撮影モード（Ｍ＝１）または連続撮影モード（Ｍ＝２）である。
【００４７】
ステップＳ２１において、制御回路１０１は、第１計時時間ｔの計時を停止してステップＳ２２へ進む。ステップＳ２２において、制御回路１０１は、第１計時時間ｔを０にリセットしてステップＳ３へ戻る。
【００４８】
ステップＳ１７を否定判定して進むステップＳ２３において、制御回路１０１は、撮影動作モードパラメータＤ＝３か否かを判定する。制御回路１０１は、Ｄ＝３（セルフタイマー撮影モード）の場合にステップＳ２３を肯定判定してステップＳ２０へ進み、Ｄ≠３（１コマ撮影モードまたは連続撮影モード）の場合にステップＳ２３を否定判定してステップＳ２１へ進む。
【００４９】
図３のステップＳ３１において、制御回路１０１は、リモコンフラグＲ＝１か否かを判定する。制御回路１０１は、Ｒ＝１（２秒リモコン撮影モードまたは瞬時リモコン撮影モード）の場合にステップＳ３１を肯定判定してステップＳ３２へ進み、Ｒ＝０（リモコン撮影モードでない）の場合にステップＳ３１を否定判定し、ステップＳ３６へ進む。
【００５０】
ステップＳ３２において、制御回路１０１は、撮影動作モードパラメータＤ＝４か否かを判定する。制御回路１０１は、Ｄ＝４（２秒リモコン撮影モード）の場合にステップＳ３２を肯定判定してステップＳ４０へ進み、Ｄ≠４（２秒リモコン撮影モードでない）の場合にステップＳ３２を否定判定してステップＳ３３へ進む。
【００５１】
ステップＳ３３において、制御回路１０１は、撮影動作モードパラメータＤ＝５か否かを判定する。制御回路１０１は、Ｄ＝５（瞬時リモコン撮影モード）の場合にステップＳ３３を肯定判定してステップＳ４０へ進み、Ｄ≠５（瞬時リモコン撮影モードでない）の場合にステップＳ３３を否定判定してステップＳ３４へ進む。
【００５２】
ステップＳ３４において、制御回路１０１は、リモコンフラグＲを０にセットしてステップＳ３５へ進む。ステップＳ３５において、制御回路１０１は、出力ポートＯ2の出力信号を低レベルに設定してステップＳ４０へ進む。これにより、電圧Ｖ２の電源ラインによるリモコン受光部１０８への電源供給が停止される。
【００５３】
ステップＳ３６において、制御回路１０１は、撮影動作モードパラメータＤ＝４か否かを判定する。制御回路１０１は、Ｄ＝４（２秒リモコン撮影モード）の場合にステップＳ３６を肯定判定してステップＳ３８へ進み、Ｄ≠４（２秒リモコン撮影モードでない）の場合にステップＳ３６を否定判定してステップＳ３７へ進む。
【００５４】
ステップＳ３７において、制御回路１０１は、撮影動作モードパラメータＤ＝５か否かを判定する。制御回路１０１は、Ｄ＝５（瞬時リモコン撮影モード）の場合にステップＳ３７を肯定判定してステップＳ３８へ進み、Ｄ≠５（瞬時リモコン撮影モードでない）の場合にステップＳ３７を否定判定してステップＳ４０へ進む。
【００５５】
ステップＳ３８において、制御回路１０１は、リモコンフラグＲを１にセットしてステップＳ３９へ進む。ステップＳ３９において、制御回路１０１は、出力ポートＯ2の出力信号を高レベルに設定してステップＳ４０へ進む。これにより、電圧Ｖ２の電源ラインによるリモコン受光部１０８への電源供給が開始される。
【００５６】
ステップＳ４０において、電源ダイヤル（不図示）がオン位置にあるか否かを判定する。制御回路１０１は、入力ポートＩ1に低レベルの信号が入力されている（ＳＷ１がオン）場合にステップＳ４０を肯定判定してステップＳ４１へ進み、入力ポートＩ1に高レベルの信号が入力されている（ＳＷ１がオフ）場合にステップＳ４０を否定判定し、図２のステップＳ１６へ進む。
【００５７】
ステップＳ４１において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ４１を肯定判定してステップＳ４２へ進み、入力ポートＩ2に高レベルの信号が入力されている（ＳＷ２がオフ）場合にステップＳ４１を否定判定し、ステップＳ４３へ進む。
【００５８】
ステップＳ４２において、制御回路１０１は、第１計時時間ｔを０にリセットしてステップＳ４３へ進む。これにより、レリーズボタン（不図示）が半押し操作されると、電源供給時間が時間Ｔ1だけ延長される。ステップＳ４３において、制御回路１０１は、ｔ≧Ｔが成立するか否かを判定する。制御回路１０１は、ｔ≧Ｔが成立する場合にステップＳ４３を肯定判定して図６のステップＳ１１１へ進み、ｔ≧Ｔが成立しない場合にはステップＳ４３を否定判定し、ステップＳ４４へ進む。
【００５９】
ステップＳ４４において、制御回路１０１は、所定の測光および露出演算処理を行ってステップＳ４５へ進む。ステップＳ４５において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ４５を肯定判定してステップＳ４６へ進み、入力ポートＩ1に高レベルの信号が入力されている（ＳＷ１がオフ）場合にステップＳ４５を否定判定し、図２のステップＳ１６へ進む。
【００６０】
ステップＳ４６において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ４６を肯定判定してステップＳ４７へ進み、入力ポートＩ2に高レベルの信号が入力されている（ＳＷ２がオフ）場合にステップＳ４６を否定判定し、ステップＳ４８へ進む。
【００６１】
ステップＳ４７において、制御回路１０１は、第１計時時間ｔを０にリセットしてステップＳ４８へ進む。これにより、レリーズボタン（不図示）が半押し操作されると、電源供給時間が時間Ｔ1だけ延長される。ステップＳ４８において、制御回路１０１は、ｔ≧Ｔが成立するか否かを判定する。制御回路１０１は、ｔ≧Ｔが成立する場合にステップＳ４８を肯定判定して図６のステップＳ１１１へ進み、ｔ≧Ｔが成立しない場合にはステップＳ４８を否定判定し、ステップＳ４９へ進む。
【００６２】
ステップＳ４９において、制御回路１０１は表示装置１１１に指令を出力し、表示処理を行って図４のステップＳ５１へ進む。表示処理の詳細については後述する。
【００６３】
図４のステップＳ５１において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ５１を肯定判定してステップＳ５２へ進み、入力ポートＩ1に高レベルの信号が入力されている（ＳＷ１がオフ）場合にステップＳ５１を否定判定し、図２のステップＳ１６へ進む。
【００６４】
ステップＳ５２において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ５２を肯定判定してステップＳ５３へ進み、入力ポートＩ2に高レベルの信号が入力されている（ＳＷ２がオフ）場合にステップＳ５２を否定判定し、ステップＳ５４へ進む。
【００６５】
ステップＳ５３において、制御回路１０１は、第１計時時間ｔを０にリセットしてステップＳ５４へ進む。これにより、レリーズボタン（不図示）が半押し操作されると、電源供給時間が時間Ｔ1だけ延長される。ステップＳ５４において、制御回路１０１は、ｔ≧Ｔが成立するか否かを判定する。制御回路１０１は、ｔ≧Ｔが成立する場合にステップＳ５４を肯定判定して図６のステップＳ１１１へ進み、ｔ≧Ｔが成立しない場合にはステップＳ５４を否定判定し、ステップＳ５５へ進む。
【００６６】
ステップＳ５５において、制御回路１０１は、リモコンフラグＲ＝１か否かを判定する。制御回路１０１は、Ｒ＝１（２秒リモコン撮影モードまたは瞬時リモコン撮影モード）の場合にステップＳ５５を肯定判定してステップＳ５６へ進み、Ｒ＝０（リモコン撮影モードでない）の場合にステップＳ５５を否定判定し、ステップＳ６８へ進む。
【００６７】
ステップＳ５６において、制御回路１０１は、リモコン受光部１０８によってリモコン装置１０９から送信された操作信号が受信されたか否かを判定する。制御回路１０１は、リモコン受光部１０８から出力信号が入力されるとステップＳ５６を肯定判定してステップＳ５７へ進み、リモコン受光部１０８から信号入力がない場合にステップＳ５６を否定判定し、図２のステップＳ７へ戻る。
【００６８】
ステップＳ５７において、制御回路１０１は、リモコン受光部１０８へリセットコマンドを出力し、出力信号をリセットさせてステップＳ５８へ進む。ステップＳ５８において、制御回路１０１は、撮影動作モードパラメータＤ＝４か否かを判定する。制御回路１０１は、Ｄ＝４（２秒リモコン撮影モード）の場合にステップＳ５８を肯定判定し、ステップＳ５９へ進む。一方、制御回路１０１は、Ｄ≠４（瞬時リモコン撮影モード）の場合にステップＳ５８を否定判定し、ステップＳ７０の撮像シーケンス処理へ進む。
【００６９】
ステップＳ５９において、制御回路１０１は、第２計時時間τを０にセットしてステップＳ６０へ進む。第２計時時間τは、撮像シーケンス処理に移行するまでの時間（この場合は２秒タイマー）を計時する。τを０にセットすることで、第２計時時間τがリセットされる。
【００７０】
ステップＳ６０において、制御回路１０１は、第２計時時間τの計時を開始してステップＳ６１へ進む。これにより、２秒タイマーが作動を開始する。ステップＳ６１において、制御回路１０１はＬＥＤ駆動回路１１８に指令を出力し、ＬＥＤ１１９を点灯開始させてステップＳ６２へ進む。ステップＳ６２において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ６２を肯定判定してステップＳ６３へ進み、入力ポートＩ1に高レベルの信号が入力されている（ＳＷ１がオフ）場合にステップＳ６２を否定判定し、ステップＳ６６へ進む。
【００７１】
ステップＳ６３において、制御回路１０１は、τ≧２（秒）が成立するか否かを判定する。制御回路１０１は、τ≧２が成立する場合にステップＳ６３を肯定判定してステップＳ６４へ進み、τ≧２が成立しない場合にはステップＳ６３を否定判定し、ステップＳ６２へ戻る。
【００７２】
ステップＳ６４において、制御回路１０１はＬＥＤ駆動回路１１８に指令を出力し、ＬＥＤ１１９を消灯させてステップＳ６５へ進む。ステップＳ６５において、制御回路１０１は、第２計時時間τの計時を停止してステップＳ７０の撮像シーケンス処理へ進む。
【００７３】
ステップＳ６２を否定判定して進むステップＳ６６において、制御回路１０１はＬＥＤ駆動回路１１８に指令を出力し、ＬＥＤ１１９を消灯させてステップＳ６７へ進む。ステップＳ６７において、制御回路１０１は、第２計時時間τの計時を停止して図２のステップＳ１６へ進む。
【００７４】
上述したステップＳ５５を否定判定して進むステップＳ６８において、制御回路１０１は、レリーズボタン（不図示）が全押し操作されたか否かを判定する。制御回路１０１は、入力ポートＩ3に低レベルの信号が入力された（全押しスイッチＳＷ３がオン）場合にステップＳ６８を肯定判定してステップＳ６９へ進み、入力ポートＩ3に高レベルの信号が入力されている（ＳＷ３がオフ）場合にステップＳ６８を否定判定し、図２のステップＳ７へ戻る。
【００７５】
ステップＳ６９において、制御回路１０１は、撮影動作モードパラメータＤ＝３か否かを判定する。制御回路１０１は、Ｄ＝３（セルフタイマー撮影モード）の場合にステップＳ６９を肯定判定し、ステップＳ７４へ進む。一方、制御回路１０１は、Ｄ≠３（セルフタイマー撮影モードでない）の場合にステップＳ６９を否定判定し、ステップＳ７０の撮像シーケンス処理へ進む。
【００７６】
ステップＳ７０において、制御回路１０１は、以下のように撮像シーケンス処理を行ってステップＳ７１へ進む。すなわち、制御回路１０１がシーケンススイッチＳＷ９のオン、オフに応じてシーケンスモータ１１３を正回転させると、不図示のシーケンス駆動装置が作動して絞りの絞り込みを開始させる。シーケンス駆動装置は、露出演算によって算出されている絞り値に相当する所定タイミングで絞り係止装置１１７を作動させて絞りを係止させ、絞り係止後にミラーアップを完了させる。制御回路１０１は、シーケンススイッチＳＷ９のオンに応じてシーケンスモータ１１３を停止させる。
【００７７】
制御回路１０１は、シャッタ駆動回路１１４に指令を出力し、シャッタ１１５の先幕保持を解除させ、露出演算によって算出されているシャッタ速度に相当する時間の経過後にシャッタ後幕の保持を解除させる一方で、シャッタ先幕の走行開始前からシャッタ後幕の走行完了まで撮像素子１０２に電荷を蓄積させる。制御回路１０１はシーケンスモータ１１３を逆回転させ、不図示のシーケンス駆動装置を作動させてミラーダウン、シャッタチャージ、絞りを開放復帰させるとともに、撮像素子１０２に蓄積された電荷を読出して画像処理、画像圧縮、画像記録を行う。制御回路１０１は、シーケンススイッチＳＷ９のオンに応じてシーケンスモータ１１３を停止させる。
【００７８】
ステップＳ７１において、制御回路１０１は、リモコンフラグＲ＝１か否かを判定する。制御回路１０１は、Ｒ＝１（２秒リモコン撮影モードまたは瞬時リモコン撮影モード）の場合にステップＳ７１を肯定判定してステップＳ７２へ進み、Ｒ＝０（リモコン撮影モードでない）の場合にステップＳ７１を否定判定して図５のステップＳ９１へ進む。
【００７９】
ステップＳ７２において、制御回路１０１は、リモコン受光部１０８によってリモコン装置１０９から送信された操作信号が受信されたか否かを判定する。制御回路１０１は、リモコン受光部１０８から出力信号が入力されるとステップＳ７２を肯定判定してステップＳ７３へ進み、リモコン受光部１０８から信号入力がない場合にはステップＳ７２を否定判定し、図５のステップＳ９１へ進む。
【００８０】
ステップＳ７３において、制御回路１０１は、リモコン受光部１０８へリセットコマンドを出力し、出力信号をリセットさせて図５のステップＳ９１へ進む。撮像シーケンス処理の後で出力信号をリセットさせるのは、撮像シーケンス処理中にリモコン装置１０９から不要なリモコン操作信号が送信されたとしても、この操作信号によるリモコン受光部１０８からの出力信号をリセットできるからである。
【００８１】
ステップＳ６９を肯定判定して進むステップＳ７４において、制御回路１０１は、第２計時時間τを０にセットしてステップＳ７５へ進む。第２計時時間τは、レリーズボタン（不図示）の全押し位置への押下げ後に撮像シーケンス処理に移行するまでの時間（この場合はセルフタイマー）を計時するものである。τを０にセットすることで、第２計時時間τがリセットされる。
【００８２】
ステップＳ７５において、制御回路１０１は、第２計時時間τの計時を開始してステップＳ７６へ進む。これにより、セルフタイマーが作動を開始する。ステップＳ７６において、制御回路１０１はＬＥＤ駆動回路１１８に指令を出力し、ＬＥＤ１１９を点滅開始させてステップＳ７７へ進む。ステップＳ７７において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ７７を肯定判定してステップＳ７８へ進み、入力ポートＩ1に高レベルの信号が入力されている（ＳＷ１がオフ）場合にステップＳ７７を否定判定し、ステップＳ６６へ進む。
【００８３】
ステップＳ７８において、制御回路１０１は、τ≧８（秒）が成立するか否かを判定する。制御回路１０１は、τ≧８が成立する場合にステップＳ７８を肯定判定してステップＳ７９へ進み、τ≧８が成立しない場合にはステップＳ７８を否定判定し、ステップＳ７７へ戻る。ステップＳ７９において、制御回路１０１はＬＥＤ駆動回路１１８に指令を出力し、ＬＥＤ１１９を点灯表示させてステップＳ８０へ進む。
【００８４】
ステップＳ８０において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ８０を肯定判定してステップＳ８１へ進み、入力ポートＩ1に高レベルの信号が入力されている（ＳＷ１がオフ）場合にステップＳ８０を否定判定し、ステップＳ６６へ進む。
【００８５】
ステップＳ８１において、制御回路１０１は、τ≧１０（秒）が成立するか否かを判定する。制御回路１０１は、τ≧１０が成立する場合にステップＳ８１を肯定判定してステップＳ６４へ進み、τ≧１０が成立しない場合にはステップＳ８１を否定判定し、ステップＳ８０へ戻る。
【００８６】
図５のステップＳ９１において、制御回路１０１は、撮影動作モードパラメータＤ＝３か否かを判定する。制御回路１０１は、Ｄ＝３（セルフタイマー撮影モード）の場合にステップＳ９１を肯定判定してステップＳ９２へ進み、Ｄ≠３（セルフタイマー撮影モードでない）の場合にステップＳ９１を否定判定してステップＳ９６へ進む。
【００８７】
ステップＳ９２において、制御回路１０１は、セルフタイマー撮影回数パラメータｎ＝０か否かを判定する。制御回路１０１は、ｎ＝０（他の撮影動作モードへの変更操作が行われるまでセルフタイマー撮影モードの設定を保持する）の場合にステップＳ９２を肯定判定してステップＳ１０４へ進み、ｎ＝０以外の場合にはステップＳ９２を否定判定してステップＳ９３へ進む。
【００８８】
ステップＳ９３において、制御回路１０１は、セルフタイマー撮影回数パラメータｎ＝１か否かを判定する。制御回路１０１は、ｎ＝１の場合にステップＳ９３を肯定判定してステップＳ９４へ進み、ｎ＝２以上の場合にはステップＳ９３を否定判定してステップＳ９５へ進む。
【００８９】
ステップＳ９４において、制御回路１０１は、モード記憶パラメータＭの値を撮影動作モードパラメータＤにセットするとともに、Ｍに対応する直近の撮影動作モードに設定変更してステップＳ１０４へ進む。直近の撮影動作モードは、１コマ撮影モード（Ｍ＝１）または連続撮影モード（Ｍ＝２）である。
【００９０】
ステップＳ９５において、制御回路１０１は、セルフタイマー撮影回数パラメータｎの値を１だけ減算してステップＳ１０４へ進む。このステップＳ９５により、セルフタイマー撮影ごとにセルフタイマー撮影回数パラメータｎの値が１ずつ減ってゆき、１になるとステップＳ９３、Ｓ９４により撮影動作モードが直近の撮影動作モードに設定変更される。
【００９１】
ステップＳ９１を否定判定して進むステップＳ９６において、制御回路１０１は、撮影動作モードパラメータＤ＝５か否かを判定する。制御回路１０１は、Ｄ＝５（瞬時リモコン撮影モード）の場合にステップＳ９６を肯定判定してステップＳ９７へ進み、Ｄ≠５（瞬時リモコン撮影モードでない）の場合にステップＳ９６を否定判定してステップＳ１０５へ進む。
【００９２】
ステップＳ９７において、制御回路１０１は、第２計時時間τを０にセットしてステップＳ９８へ進む。ここで第２計時時間τは、瞬時リモコン撮影モードに設定されている場合において撮像シーケンス処理の終了を使用者に報知するためにＬＥＤ１１９を点灯する時間（この場合は０．５秒タイマー）を計時する。τを０にセットすることで、第２計時時間τがリセットされる。
【００９３】
ステップＳ９８において、制御回路１０１は、第２計時時間τの計時を開始してステップＳ９９へ進む。これにより、０．５秒タイマーが作動を開始する。ステップＳ９９において、制御回路１０１はＬＥＤ駆動回路１１８に指令を出力し、ＬＥＤ１１９を点灯開始させてステップＳ１００へ進む。ステップＳ１００において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１００を肯定判定してステップＳ１０１へ進み、入力ポートＩ1に高レベルの信号が入力されている（ＳＷ１がオフ）場合にステップＳ１００を否定判定し、図４のステップＳ６６へ進む。
【００９４】
ステップＳ１０１において、制御回路１０１は、τ≧０．５（秒）が成立するか否かを判定する。制御回路１０１は、τ≧０．５が成立する場合にステップＳ１０１を肯定判定してステップＳ１０２へ進み、τ≧０．５が成立しない場合にはステップＳ１０１を否定判定し、ステップＳ１００へ戻る。ステップＳ１０２において、制御回路１０１はＬＥＤ駆動回路１１８に指令を出力し、ＬＥＤ１１９を消灯させてステップＳ１０３へ進む。
【００９５】
ステップＳ１０３において、制御回路１０１は、第２計時時間τの計時を停止してステップＳ１０４へ進む。ステップＳ１０４において、制御回路１０１は、第１計時時間ｔを０にリセットして図２のステップＳ７へ戻る。
【００９６】
ステップＳ９６を否定判定して進むステップＳ１０５において、制御回路１０１は、撮影動作モードパラメータＤ＝１か否かを判定する。制御回路１０１は、Ｄ＝１（１コマ撮影モード）の場合にステップＳ１０５を肯定判定してステップＳ１０６へ進み、Ｄ≠１（１コマ撮影モードでない）の場合にステップＳ１０５を否定判定してステップＳ１０４へ進む。
【００９７】
ステップＳ１０６において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１０６を肯定判定してステップＳ１０７へ進み、入力ポートＩ1に高レベルの信号が入力されている（ＳＷ１がオフ）場合にステップＳ１０６を否定判定し、図２のステップＳ１６へ進む。
【００９８】
ステップＳ１０７において、制御回路１０１は、レリーズボタン（不図示）の全押し位置までの押下げ操作が解除されたか否かを判定する。制御回路１０１は、入力ポートＩ3に高レベルの信号が入力されている（全押しスイッチＳＷ３がオフ）場合にステップＳ１０７を肯定判定してステップＳ１０４へ進み、入力ポートＩ3に低レベルの信号が入力されている（ＳＷ３がオン）場合にステップＳ１０７を否定判定し、ステップＳ１０６へ戻る。ステップＳ１０５乃至ステップＳ１０７の処理は、１コマ撮影動作モードに設定されている場合において、レリーズボタン（不図示）が全押し解除されるまで、または電源ダイヤルがオフ位置へ操作されるまで次の処理へ進まないようにするものである。
【００９９】
図６のステップＳ１１１において、制御回路１０１は、出力ポートＯ1の出力信号を低レベルに設定してステップＳ１１２へ進む。これにより、電圧Ｖ１の電源ラインによる電源供給が停止される。ステップＳ１１２において、制御回路１０１は、リモコンフラグＲ＝１か否かを判定する。制御回路１０１は、Ｒ＝１（２秒リモコン撮影モードまたは瞬時リモコン撮影モード）の場合にステップＳ１１２を肯定判定してステップＳ１１３へ進み、Ｒ＝０（リモコン撮影モードでない）の場合にステップＳ１１２を否定判定し、ステップＳ１１７へ進む。
【０１００】
ステップＳ１１３において、制御回路１０１は、出力ポートＯ2の出力信号を低レベルに設定してステップＳ１１４へ進む。これにより、電圧Ｖ２の電源ラインによるリモコン受光部１０８への電源供給が停止される。
【０１０１】
ステップＳ１１４において、制御回路１０１は、リモコンフラグＲを０にセットしてステップＳ１１５へ進む。ステップＳ１１５において、制御回路１０１は、モード記憶パラメータＭの値を撮影動作モードパラメータＤにセットするとともに、Ｍに対応する直近の撮影動作モードに設定変更してステップＳ１１６へ進む。直近の撮影動作モードは、１コマ撮影モード（Ｍ＝１）または連続撮影モード（Ｍ＝２）である。
【０１０２】
ステップＳ１１６において、制御回路１０１は、電源供給時間Ｔに通常時間Ｔ1（たとえば、８秒）をセットしてステップＳ１１７へ進む。ステップＳ１１７において、制御回路１０１は、第１計時時間ｔの計時を停止してステップＳ１１８へ進む。ステップＳ１１８において、制御回路１０１は、第１計時時間ｔを０にリセットしてステップＳ１１９へ進む。
【０１０３】
ステップＳ１１９において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１１９を肯定判定してステップＳ１２０へ進み、入力ポートＩ1に高レベルの信号が入力されている（ＳＷ１がオフ）場合にステップＳ１１９を否定判定し、ステップＳ１２３へ進む。
【０１０４】
ステップＳ１２０において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ１２０を肯定判定して図２のステップＳ５へ戻り、入力ポートＩ2に高レベルの信号が入力されている（ＳＷ２がオフ）場合にステップＳ１２０を否定判定し、ステップＳ１２１へ進む。
【０１０５】
ステップＳ１２１において、制御回路１０１は、撮影動作モードボタン（不図示）が押下操作されているか否かを判定する。制御回路１０１は、入力ポートＩ4に低レベルの信号が入力されている（撮影動作モードスイッチＳＷ４がオン）場合にステップＳ１２１を肯定判定してステップＳ１２２へ進み、入力ポートＩ4に高レベルの信号が入力されている（ＳＷ４がオフ）場合にステップＳ１２１を否定判定し、ステップＳ１１９へ戻る。
【０１０６】
ステップＳ１２２において、制御回路１０１は、出力ポートＯ1の出力信号を高レベルに設定して図７（設定処理）のステップＳ２０３へ進む。
【０１０７】
ステップＳ１２３において、制御回路１０１は、撮影動作モードパラメータＤ＝３か否かを判定する。制御回路１０１は、Ｄ＝３（セルフタイマー撮影モード）の場合にステップＳ１２３を肯定判定してステップＳ１２５へ進み、Ｄ≠３（セルフタイマー撮影モードでない）の場合にステップＳ１２３を否定判定して図２のステップＳ３へ戻る。
【０１０８】
ステップＳ１２５において、制御回路１０１は、モード記憶パラメータＭの値を撮影動作モードパラメータＤにセットするとともに、Ｍに対応する直近の撮影動作モードに設定変更して図２のステップＳ３へ戻る。直近の撮影動作モードは、１コマ撮影モード（Ｍ＝１）または連続撮影モード（Ｍ＝２）である。
【０１０９】
以上説明したステップＳ１１１乃至ステップＳ１２５の処理は、第１計時時間ｔが電源供給時間Ｔ1またはＴ2を計時した（半押しタイマーがタイムアップした）以降の省電力動作に対応する処理である。図６による処理を抜ける（省電力動作を解除する）のは、電源ダイヤル（不図示）のオフ位置への操作、レリーズボタン（不図示）の半押し操作、および撮影動作モードボタン（不図示）の押下操作のいずれかの操作が行われる場合である。
【０１１０】
設定処理の詳細について、図７および図８のフローチャートを参照して説明する。図７のステップＳ２０１において、制御回路１０１は、撮影動作モードボタン（不図示）が押下されているか否かを判定する。制御回路１０１は、入力ポートＩ4の入力レベルがスイッチＳＷ４のオン操作を示す場合にステップＳ２０１を肯定判定してステップＳ２０２へ進み、入力ポートＩ4の入力レベルがスイッチＳＷ４のオン操作を示さない場合にステップＳ２０１を否定判定し、図７による処理を終了して図２のステップＳ１２へ戻る。
【０１１１】
ステップＳ２０２において、制御回路１０１は、第１計時時間ｔの計時を停止してステップＳ２０３へ進む。ステップＳ２０３において、制御回路１０１は、撮影動作モードボタンが押下されている状態で不図示のメインコマンドダイヤルが反時計回転の方向に回転操作されているか否かを判定する。制御回路１０１は、入力ポートＩ5およびＩ6の入力レベル（すなわち、スイッチＳＷ５およびスイッチＳＷ６からの入力信号）が反時計方向の回転を示す場合にステップＳ２０３を肯定判定してステップＳ２０４へ進み、反時計方向の回転を示さない場合にはステップＳ２０３を否定判定してステップＳ２０７へ進む。
【０１１２】
ステップＳ２０４において、制御回路１０１は、撮影動作モードパラメータＤ＝５か否かを判定する。制御回路１０１は、Ｄ＝５（瞬時リモコン撮影モード）の場合にステップＳ２０４を肯定判定してステップＳ２０６へ進み、Ｄ≠５（瞬時リモコン撮影モードでない）の場合にステップＳ２０４を否定判定してステップＳ２０５へ進む。ステップＳ２０５において、制御回路１０１は、Ｄに１を加えるとともに、加算後の撮影動作モードパラメータＤに対応する動作モードに設定変更してステップＳ２０６へ進む。
【０１１３】
ステップＳ２０７において、制御回路１０１は、撮影動作モードボタンが押下されている状態で不図示のメインコマンドダイヤルが時計回転の方向に回転操作されているか否かを判定する。制御回路１０１は、入力ポートＩ5およびＩ6の入力レベル（すなわち、スイッチＳＷ５およびスイッチＳＷ６からの入力信号）が時計方向の回転を示す場合にステップＳ２０７を肯定判定してステップＳ２０８へ進み、時計方向の回転を示さない場合にはステップＳ２０７を否定判定してステップＳ２０６へ進む。
【０１１４】
ステップＳ２０８において、制御回路１０１は、撮影動作モードパラメータＤ＝１か否かを判定する。制御回路１０１は、Ｄ＝１（１コマ撮影モード）の場合にステップＳ２０８を肯定判定してステップＳ２０６へ進み、Ｄ≠１（１コマ撮影動作モードでない）の場合にステップＳ２０８を否定判定してステップＳ２０９へ進む。ステップＳ２０９において、制御回路１０１は、Ｄから１を減算するとともに、減算後の撮影動作モードパラメータＤに対応する動作モードに設定変更してステップＳ２０６へ進む。
【０１１５】
ステップＳ２０６において、制御回路１０１は、撮影動作モードパラメータＤ＝３か否かを判定する。制御回路１０１は、Ｄ＝３（セルフタイマー撮影モード）の場合にステップＳ２０６を肯定判定してステップＳ２１０へ進み、Ｄ≠３（セルフタイマー撮影モードでない）の場合にステップＳ２０６を否定判定して図８のステップＳ２１８へ進む。
【０１１６】
ステップＳ２１０において、制御回路１０１は、撮影動作モードボタンが押下されている状態で不図示のサブコマンドダイヤルが時計回転の方向に回転操作されているか否かを判定する。制御回路１０１は、入力ポートＩ7およびＩ8の入力レベル（すなわち、スイッチＳＷ７およびスイッチＳＷ８からの入力信号）が時計方向の回転を示す場合にステップＳ２１０を肯定判定してステップＳ２１１へ進み、時計方向の回転を示さない場合にはステップＳ２１０を否定判定してステップＳ２１４へ進む。
【０１１７】
ステップＳ２１１において、制御回路１０１は、セルフタイマー撮影回数パラメータｎ＝９か否かを判定する。制御回路１０１は、ｎ＝９の場合にステップＳ２１１を肯定判定してステップＳ２１３へ進み、ｎ≠９の場合にステップＳ２１１を否定判定してステップＳ２１２へ進む。ステップＳ２１２において、制御回路１０１は、ｎに１を加えてステップＳ２１３へ進む。
【０１１８】
ステップＳ２１４において、制御回路１０１は、撮影動作モードボタンが押下されている状態で不図示のサブコマンドダイヤルが反時計回転の方向に回転操作されているか否かを判定する。制御回路１０１は、入力ポートＩ7およびＩ8の入力レベル（すなわち、スイッチＳＷ７およびスイッチＳＷ８からの入力信号）が反時計方向の回転を示す場合にステップＳ２１４を肯定判定してステップＳ２１５へ進み、反時計方向の回転を示さない場合にはステップＳ２１４を否定判定してステップＳ２１３へ進む。
【０１１９】
ステップＳ２１５において、制御回路１０１は、セルフタイマー撮影回数パラメータｎ＝０か否かを判定する。制御回路１０１は、ｎ＝０の場合にステップＳ２１５を肯定判定してステップＳ２１３へ進み、ｎ≠０の場合にステップＳ２１５を否定判定してステップＳ２１６へ進む。ステップＳ２１６において、制御回路１０１は、ｎから１を減算してステップＳ２１３へ進む。
【０１２０】
ステップＳ２１３において、制御回路１０１は、セルフタイマー撮影回数パラメータｎ＝０か否かを判定する。制御回路１０１は、ｎ＝０の場合にステップＳ２１３を肯定判定して図８のステップＳ２１８へ進み、ｎ≠０の場合にステップＳ２１３を否定判定してステップＳ２１７へ進む。ステップＳ２１７において、制御回路１０１は表示装置１１１に指令を出力し、セルフタイマー撮影回数パラメータｎの値を示す表示を行わせて図８のステップＳ２１８へ進む。
【０１２１】
図８のステップＳ２１８において、制御回路１０１は表示装置１１１に指令を出力し、撮影動作モードパラメータＤの値に対応する撮影動作モードを示す表示を行わせてステップＳ２１９へ進む。ステップＳ２１９において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ２１９を肯定判定してステップＳ２２０へ進み、入力ポートＩ1に高レベルの信号が入力されている（ＳＷ１がオフ）場合にステップＳ２１９を否定判定し、図２のステップＳ１６へ進む。
【０１２２】
ステップＳ２２０において、制御回路１０１は、撮影動作モードボタン（不図示）が押下されているか否かを判定する。制御回路１０１は、スイッチＳＷ４が継続してオン操作されている場合にステップＳ２２０を肯定判定して図７のステップＳ２０３へ戻り、スイッチＳＷ４がオン操作されていない場合にはステップＳ２２０を否定判定し、ステップＳ２２１へ進む。
【０１２３】
ステップＳ２２１において、制御回路１０１は、撮影動作モードパラメータＤ＝１か否かを判定する。制御回路１０１は、Ｄ＝１（１コマ撮影モード）の場合にステップＳ２２１を肯定判定してステップＳ２２２へ進み、Ｄ≠１の場合にステップＳ２２１を否定判定してステップＳ２２４へ進む。ステップＳ２２２において、制御回路１０１は、モード記憶パラメータＭに１をセットしてステップＳ２２３へ進む。
【０１２４】
ステップＳ２２３において、制御回路１０１は、電源供給時間Ｔに通常時間Ｔ1（たとえば、８秒）をセットしてステップＳ２２８へ進む。
【０１２５】
ステップＳ２２４において、制御回路１０１は、撮影動作モードパラメータＤ＝２か否かを判定する。制御回路１０１は、Ｄ＝２（連続撮影モード）の場合にステップＳ２２４を肯定判定してステップＳ２２５へ進み、Ｄ≠２の場合にステップＳ２２４を否定判定してステップＳ２２６へ進む。ステップＳ２２５において、制御回路１０１は、モード記憶パラメータＭに２をセットしてステップＳ２２３へ進む。ステップＳ２２６において、制御回路１０１は、撮影動作モードパラメータＤ＝３か否かを判定する。制御回路１０１は、Ｄ＝３（セルフタイマー撮影モード）の場合にステップＳ２２６を肯定判定してステップＳ２２３へ進み、Ｄ≠３（２秒リモコン撮影モードまたは瞬時リモコン撮影モード）の場合にステップＳ２２６を否定判定し、ステップＳ２２７へ進む。
【０１２６】
ステップＳ２２７において、制御回路１０１は、電源供給時間Ｔにリモコン撮影モード用の時間Ｔ2（たとえば、１分）をセットしてステップＳ２２８へ進む。時間Ｔ2は、リモコン撮影モード時に半押しタイマーのタイムアップ時間を長くするためにセットされる。
【０１２７】
ステップＳ２２８において、制御回路１０１は、第１計時時間ｔを０にリセットしてステップＳ２２９へ進む。ステップＳ２２９において、制御回路１０１は、第１計時時間ｔの計時を開始して図２のステップＳ１２へ戻る。
【０１２８】
表示処理の詳細について、図９のフローチャートを参照して説明する。ステップＳ３０１において、制御回路１０１は、撮影動作モードパラメータＤ＝３か否かを判定する。制御回路１０１は、Ｄ＝３（セルフタイマー撮影モード）の場合にステップＳ３０１を肯定判定してステップＳ３０２へ進み、Ｄ≠３（セルフタイマー撮影モードでない）の場合にステップＳ３０１を否定判定し、ステップＳ３０４へ進む。
【０１２９】
ステップＳ３０２において、制御回路１０１は、セルフタイマー撮影回数パラメータｎ≠０か否かを判定する。制御回路１０１は、ｎ≠０の場合にステップＳ３０２を肯定判定してステップＳ３０３へ進み、ｎ＝０の場合にはステップＳ３０２を否定判定し、ステップＳ３０４へ進む。
【０１３０】
ステップＳ３０３において、制御回路１０１は表示装置１１１に指令を出力し、セルフタイマー撮影回数パラメータｎの値を示す表示を行わせてステップＳ３０４へ進む。ステップＳ３０４において、制御回路１０１は表示装置１１１に指令を出力し、撮影動作モードパラメータＤの値に対応する撮影動作モードを示す表示を行わせてステップＳ３０５へ進む。なお、セルフタイマー撮影回数パラメータｎの値が０以外に設定されたセルフタイマー撮影モードの場合には、セルフタイマー撮影回数を同時に表示する。
【０１３１】
ステップＳ３０５において、制御回路１０１は表示装置１１１に指令を出力し、露出演算によって算出されているシャッタ速度および絞り値を示す表示を行わせて図９による処理を終了し、図４のステップＳ５１へ戻る。
【０１３２】
以上説明した実施形態によれば、次の作用効果が得られる。
（１）カメラがセルフタイマー撮影モードに設定された状態（Ｄ＝３）で撮影処理を行う場合のセルフタイマー撮影回数を１回〜９回の間で任意に設定可能に構成したので、設定されている撮影回数に応じたセルフタイマー撮影が終了した時点でセルフタイマー撮影モードの設定を解除させることができる。これにより、セルフタイマー撮影を繰り返し行う場合に、１回のセルフタイマー撮影が終了するごとにセルフタイマー撮影モードへの設定操作を行わなくてもよいので、カメラの使い勝手が向上する。
【０１３３】
（２）カメラは、セルフタイマー撮影モードに設定された状態（Ｄ＝３）において設定されているセルフタイマー撮影回数に応じたセルフタイマー撮影を行うと（ステップＳ９３を肯定判定）、１コマ撮影モードおよび連続撮影モードのうち直近のモードに復帰する（ステップＳ９４）。したがって、セルフタイマー撮影モードが自動的に解除されるので、使用者がセルフタイマー撮影モードを解除することを忘れても、次のレリーズ操作時に直ちに撮影動作が開始され、シャッターチャンスを逃すことが防止される。また、セルフタイマー撮影モードを解除して直近のモードに復帰するので、使用者が１コマ撮影を常用するにもかかわらず連続撮影モードに設定されてしまったり、使用者が連続撮影を常用するにもかかわらず１コマ撮影モードに設定されてしまったりすることがなく、使用者にとって使いやすいカメラが得られる。
【０１３４】
（３）カメラは、セルフタイマー撮影モードに設定された状態（Ｄ＝３）で電源ダイヤル（不図示）がオフ位置に操作されると、１コマ撮影モードおよび連続撮影モードのうち直近のモードに復帰する（ステップＳ２０、Ｓ１２５）。したがって、電源オフ操作ごとにセルフタイマー撮影モードが解除されるので、使用者が次の電源オン操作後にセルフタイマー撮影モードを解除することを忘れても、シャッターチャンスを逃すことを防止できる。また、セルフタイマー撮影モードを解除して直近のモードに復帰するので、使用者が常用する撮影モードが選択され、使用者にとって使いやすいカメラが得られる。
【０１３５】
（４）カメラは、セルフタイマー撮影モードに設定された状態（Ｄ＝３）でレリーズボタン（不図示）が半押し操作されない場合、通常時間Ｔ1（上記の例では８秒）を計時する（ステップＳ１０、Ｓ１５、Ｓ４３、Ｓ４８、およびＳ５４のいずれかで肯定判定）と、電圧Ｖ１の電源ラインによる電源供給をオフする（ステップＳ１１１）ので、電池の消耗を抑えることができる。このとき、セルフタイマー撮影モードは解除しないので、たとえば、三脚にカメラをセットしている間に８秒経過（半押しタイマーがタイムアップ）して電源供給がオフになっても、再びセルフタイマー撮影モードに設定し直す必要がなく、使用者にとって使いやすいカメラが得られる。
【０１３６】
（５）カメラは、２秒リモコン撮影モードおよび瞬時リモコン撮影モードのいずれかに設定された状態（Ｄ＝４または５）で撮影処理を行うと、撮影終了後に設定されている撮影モードを解除しない。一般に、使用者はリモコン使用時にカメラから離れていることが多い。撮影後もリモコン撮影モードを継続することで、使用者が撮影ごとにリモコン撮影モードに設定し直すためにカメラ位置まで移動しなくてよい。
【０１３７】
（６）カメラは、２秒リモコン撮影モードおよび瞬時リモコン撮影モードのいずれかに設定された状態（Ｄ＝４または５）で電源ダイヤル（不図示）がオフ位置に操作されると、１コマ撮影モードおよび連続撮影モードのうち直近のモードに復帰する（ステップＳ２０）。したがって、電源オフ操作ごとにリモコンによる撮影モードが解除されるので、次の電源オン操作後に使用者がリモコン撮影モードを解除することを忘れてシャッターチャンスを逃してしまうことを防止できる。また、リモコン撮影モードを解除して直近のモードに復帰するので、使用者が常用する撮影モードが選択され、使用者にとって使いやすいカメラが得られる。
【０１３８】
（７）カメラは、２秒リモコン撮影モードおよび瞬時リモコン撮影モードのいずれかに設定された状態（Ｄ＝４または５）でレリーズボタン（不図示）が半押し操作されない場合、時間Ｔ2（上記の例では１分）を計時する（ステップＳ１０、Ｓ１５、Ｓ４３、Ｓ４８、およびＳ５４のいずれかで肯定判定）と、電圧Ｖ１の電源ラインによる電源供給をオフする（ステップＳ１１１）とともに、電圧Ｖ２の電源ラインによる電源供給もオフする（ステップＳ１１３）。したがって、電池の消耗を抑えることができる。カメラはさらに、リモコンによる撮影モードを解除して１コマ撮影モードおよび連続撮影モードのうち直近のモードに復帰する（ステップＳ１１５）。これにより、使用者がリモコン撮影モードを解除することを忘れてシャッターチャンスを逃してしまうことを防止できる上に、使用者が常用する撮影モードが選択され、使用者にとって使いやすいカメラが得られる。
【０１３９】
（第一の変形例）
上述したステップＳ２３の肯定判定後、およびステップＳ１２３の肯定判定後のそれぞれにおいて、セルフタイマー撮影回数パラメータｎの値を１にセットしてもよい。図１０および図１１は、第一の変形例によるカメラ処理を説明するフローチャートである。図１０による処理は図２による処理の代わりに、図１１による処理は図６による処理の代わりに、それぞれ行われる。
【０１４０】
図１０による処理は、図２による処理に比べてステップＳ２４が追加されている点が異なるので、この相違点を中心に説明する。制御回路１０１は、図１０のステップＳ２３を肯定判定するとステップＳ２４へ進む。ステップＳ２４において、制御回路１０１は、セルフタイマー撮影回数パラメータｎを１にセットしてからステップＳ２０へ進む。これにより、電源ダイヤルがオフ位置にされたことによってセルフタイマー撮影モードを解除する場合には、セルフタイマー撮影回数パラメータｎが１にセットされる。したがって、次にセルフタイマー撮影モードが設定される場合にはセルフタイマー撮影回数パラメータｎの初期値として１がセットされるようになり、ｎの初期値がその都度異なる場合に比べてカメラの使い勝手が向上する。
【０１４１】
図１１による処理は、図６による処理に比べてステップＳ１２４が追加されている点が異なるので、この相違点を中心に説明する。制御回路１０１は、図１１のステップＳ１２３を肯定判定するとステップＳ１２４へ進む。ステップＳ１２４において、制御回路１０１は、セルフタイマー撮影回数パラメータｎを１にセットしてからステップＳ１２５へ進む。これにより、電源ダイヤルがオフ位置にされたことによってセルフタイマー撮影モードを解除する場合には、図１０の場合と同様にセルフタイマー撮影回数パラメータｎに１がセットされるため、次にセルフタイマー撮影モードが設定される場合のセルフタイマー撮影回数パラメータｎの初期値を１にすることができる。
【０１４２】
（第二の変形例）
上述したステップＳ１１２の否定判定後において、セルフタイマー撮影モードを解除する場合にセルフタイマー撮影回数パラメータｎの値を１にセットしてもよい。図１２は、第二の変形例によるカメラ処理を説明するフローチャートである。図１２による処理は図１１による処理の代わりに行われる。
【０１４３】
図１２による処理は、図１１による処理に比べてステップＳ２００１乃至ステップＳ２００３が追加されている点が異なるので、これら相違点を中心に説明する。制御回路１０１は、図１２のステップＳ１１２を否定判定するとステップＳ２００１へ進む。ステップＳ２００１において、制御回路１０１は、撮影動作モードパラメータＤ＝３か否かを判定する。制御回路１０１は、Ｄ＝３（セルフタイマー撮影モード）の場合にステップＳ２００１を肯定判定してステップＳ２００２へ進み、Ｄ≠３（セルフタイマー撮影モードでない）の場合にステップＳ２００１を否定判定してステップＳ１１７へ進む。
【０１４４】
ステップＳ２００２において、制御回路１０１はセルフタイマー撮影回数パラメータｎを１にセットしてからステップＳ２００３へ進む。ステップＳ２００３において、制御回路１０１は、モード記憶パラメータＭの値を撮影動作モードパラメータＤにセットするとともに、Ｍに対応する直近の撮影動作モードに設定変更してステップＳ１１７へ進む。直近の撮影動作モードは、１コマ撮影モード（Ｍ＝１）または連続撮影モード（Ｍ＝２）である。
【０１４５】
第二の変形例によれば、半押しタイマーのタイムアップに応じた省電力動作においてもセルフタイマー撮影モードを解除するようにし、セルフタイマー撮影モードを解除する場合にはセルフタイマー撮影モードの解除とともにセルフタイマー撮影回数パラメータｎを１にセットするため、次にセルフタイマー撮影モードが設定される場合のセルフタイマー撮影回数パラメータｎの初期値を１にすることができる。この結果、ｎの初期値がその都度異なる場合に比べてカメラの使い勝手が向上する。
【０１４６】
（第三の変形例）
上述したステップＳ２３の肯定判定後、およびステップＳ１２３の肯定判定後のそれぞれにおいて、セルフタイマー撮影回数パラメータｎ≠０の場合に（すなわち、他の撮影動作モードへの変更操作が行われるまでセルフタイマー撮影モードの設定を保持する状態を除き）、セルフタイマー撮影回数パラメータｎの値を１にセットしてもよい。図１３および図１４は、第三の変形例によるカメラ処理を説明するフローチャートである。図１３による処理は図２（図１０）による処理の代わりに、図１４による処理は図６（図１１）による処理の代わりに、それぞれ行われる。
【０１４７】
図１３による処理は、図１０による処理に比べてステップＳ２４Ａが追加されている点が異なるので、この相違点を中心に説明する。制御回路１０１は、図１３のステップＳ２３を肯定判定するとステップＳ２４Ａへ進む。ステップＳ２４Ａにおいて、制御回路１０１は、セルフタイマー撮影回数パラメータｎ≠０か否かを判定する。制御回路１０１は、ｎ≠０の場合にステップＳ２４Ａを肯定判定してステップＳ２４へ進み、ｎ＝０の場合にはステップＳ２４Ａを否定判定し、ステップＳ２１へ進む。
【０１４８】
これにより、電源ダイヤルがオフ位置にされたことによってセルフタイマー撮影モードを解除する場合には、セルフタイマー撮影回数パラメータｎが０でない場合にセルフタイマー撮影回数パラメータｎが１にセットされる。したがって、次にセルフタイマー撮影モードが設定される場合にはセルフタイマー撮影回数パラメータｎの初期値として１がセットされるようになり、ｎの初期値がその都度異なる場合に比べてカメラの使い勝手が向上する。一方、セルフタイマー撮影回数パラメータｎが０の場合にはセルフタイマー撮影モードを解除しないので、使用者の意図に反してセルフタイマー撮影モードを解除することがない。
【０１４９】
図１４による処理は、図１１による処理に比べてステップＳ１２４Ａが追加されている点が異なるので、この相違点を中心に説明する。制御回路１０１は、図１４のステップＳ１２３を肯定判定するとステップＳ１２４Ａへ進む。ステップＳ１２４Ａにおいて、制御回路１０１は、セルフタイマー撮影回数パラメータｎ≠０か否かを判定する。制御回路１０１は、ｎ≠０の場合にステップＳ１２４Ａを肯定判定してステップＳ１２４へ進み、ｎ＝０の場合にはステップＳ１２４Ａを否定判定し、図１３のステップＳ３へ進む。
【０１５０】
これにより、電源ダイヤルがオフ位置にされたことによりセルフタイマー撮影モードを解除する場合には、図１３の場合と同様にセルフタイマー撮影回数パラメータｎに１がセットされるため、次にセルフタイマー撮影モードが設定される場合のセルフタイマー撮影回数パラメータｎの初期値を１にすることができる。一方、セルフタイマー撮影回数パラメータｎが０の場合にはセルフタイマー撮影モードを解除しないので、使用者の意図に反してセルフタイマー撮影モードを解除することがない。
【０１５１】
（第四の変形例）
上述したステップＳ１１２の否定判定後において、セルフタイマー撮影回数パラメータｎ≠０の場合に（すなわち、他の撮影動作モードへの変更操作が行われるまでセルフタイマー撮影モードの設定を保持する状態を除き）、セルフタイマー撮影回数パラメータｎの値を１にセットしてもよい。図１５は、第四の変形例によるカメラ処理を説明するフローチャートである。図１５による処理は図１４による処理の代わりに行われる。
【０１５２】
図１５による処理は、図１４による処理に比べてステップＳ２００１乃至ステップＳ２００３が追加されている点が異なるので、これら相違点を中心に説明する。制御回路１０１は、図１５のステップＳ１１２を否定判定するとステップＳ２００１へ進む。ステップＳ２００１において、制御回路１０１は、撮影動作モードパラメータＤ＝３か否かを判定する。制御回路１０１は、Ｄ＝３（セルフタイマー撮影モード）の場合にステップＳ２００１を肯定判定してステップＳ２００１Ａへ進み、Ｄ≠３（セルフタイマー撮影モードでない）の場合にステップＳ２００１を否定判定してステップＳ１１７へ進む。
【０１５３】
ステップＳ２００１Ａにおいて、制御回路１０１は、セルフタイマー撮影回数パラメータｎ≠０か否かを判定する。制御回路１０１は、ｎ≠０の場合にステップＳ２００１Ａを肯定判定してステップＳ２００２へ進み、ｎ＝０の場合にはステップＳ２００１Ａを否定判定し、ステップＳ１１７へ進む。
【０１５４】
ステップＳ２００２において、制御回路１０１はセルフタイマー撮影回数パラメータｎを１にセットしてからステップＳ２００３へ進む。ステップＳ２００３において、制御回路１０１は、モード記憶パラメータＭの値を撮影動作モードパラメータＤにセットするとともに、Ｍに対応する直近の撮影動作モードに設定変更してステップＳ１１７へ進む。直近の撮影動作モードは、１コマ撮影モード（Ｍ＝１）または連続撮影モード（Ｍ＝２）である。
【０１５５】
第四の変形例によれば、半押しタイマーのタイムアップに応じた省電力動作においてもセルフタイマー撮影回数パラメータｎが０でない場合にはセルフタイマー撮影モードを解除するようにし、セルフタイマー撮影モードを解除する場合には当該解除とともにセルフタイマー撮影回数パラメータｎを１にセットする。したがって、次にセルフタイマー撮影モードが設定される場合のセルフタイマー撮影回数パラメータｎの初期値を１にすることができるから、ｎの初期値がその都度異なる場合に比べてカメラの使い勝手が向上する。一方、セルフタイマー撮影回数パラメータｎが０の場合にはセルフタイマー撮影モードを解除しないので、使用者の意図に反してセルフタイマー撮影モードを解除することがない。
【０１５６】
上述した説明では、電子カメラを例にあげて説明したが、銀塩カメラであってもよい。
【０１５７】
カメラがセルフタイマー撮影モードおよびリモコン撮影モードの双方の撮影モードを有する例を説明したが、リモコン撮影モードが省略されたカメラであっても本発明を適用できる。
【０１５８】
セルフタイマー撮影モードにおけるセルフタイマー撮影回数の設定範囲は、上述した１回〜９回に限らず、１０回以上の回数を設定可能に構成してもよい。
【０１５９】
半押しタイマーの計時時間（Ｔ1、Ｔ2の値）、およびセルフタイマー動作における各計時時間は、それぞれ例示した時間に限ることなく、適宜設定してよい。
【０１６０】
撮影動作モードの変更は、上述したスイッチの押下操作とダイヤル操作の組み合わせで行う他に、ダイヤル操作のみで行ったり、レバー操作のみでおこなったり、押下操作のみで行ったり、これらの操作部材を組み合わせて行うようにしてもよい。
【０１６１】
特許請求の範囲における各構成要素と、発明を実施するための最良の形態における各構成要素との対応について説明する。開始指示は、たとえば、入力ポートＩ3に入力される低レベルの信号が対応する。撮影モード設定手段、計数手段、モード制御手段、および省電力制御手段は、たとえば、制御回路１０１によって構成される。計数は、たとえば、ステップＳ９３およびＳ９５による処理が対応する。所定数は、たとえば、セルフタイマー撮影回数ｎが対応する。非セルフタイマー撮影モードへの設定変更は、セルフタイマー撮影モードの解除が対応する。第１の撮影モードは、たとえば、１コマ撮影モードが対応する。第２の撮影モードは、たとえば、連続撮影モードが対応する。メインスイッチは、たとえば、電源スイッチＳＷ１（電源ダイヤル）によって構成される。なお、以上の説明はあくまで一例であり、発明を解釈する上で、上記の実施形態の構成要素と本発明の構成要素との対応関係に何ら限定されるものではない。
【図面の簡単な説明】
【０１６２】
【図１】本発明の一実施の形態によるカメラの構成を示すブロック図である。
【図２】制御回路で行われるカメラ動作処理の流れを説明するフローチャートである。
【図３】制御回路で行われるカメラ動作処理の流れを説明するフローチャートである。
【図４】制御回路で行われるカメラ動作処理の流れを説明するフローチャートである。
【図５】制御回路で行われるカメラ動作処理の流れを説明するフローチャートである。
【図６】制御回路で行われるカメラ動作処理の流れを説明するフローチャートである。
【図７】設定処理の詳細について説明するフローチャートである。
【図８】設定処理の詳細について説明するフローチャートである。
【図９】表示処理の詳細について説明するフローチャートである。
【図１０】第一の変形例によるカメラ処理を説明するフローチャートである。
【図１１】第一の変形例によるカメラ処理を説明するフローチャートである。
【図１２】第二の変形例によるカメラ処理を説明するフローチャートである。
【図１３】第三の変形例によるカメラ処理を説明するフローチャートである。
【図１４】第三の変形例によるカメラ処理を説明するフローチャートである。
【図１５】第四の変形例によるカメラ処理を説明するフローチャートである。
【符号の説明】
【０１６３】
１０１…制御回路
１０２…撮像素子
１０４…タイミング回路
１０８…リモコン受光部
１０９…リモコン装置
１１０…測光装置
１１１…表示装置
ＳＷ１…電源スイッチ
ＳＷ２…半押しスイッチ
ＳＷ３…全押しスイッチ
ＳＷ４…撮影動作モードスイッチ
ＳＷ５、ＳＷ６…メインコマンドダイヤルに連動するスイッチ
ＳＷ７、ＳＷ８…サブコマンドダイヤルに連動するスイッチ
ＳＷ９…シーケンススイッチ
Ｖ１、Ｖ２…電源ラインの電圧
【図１】
2006138901.tif 000003
【図２】
2006138901.tif 000004
【図３】
2006138901.tif 000005
【図４】
2006138901.tif 000006
【図５】
2006138901.tif 000007
【図６】
2006138901.tif 000008
【図７】
2006138901.tif 000009
【図８】
2006138901.tif 000010
【図９】
2006138901.tif 000011
【図１０】
2006138901.tif 000012
【図１１】
2006138901.tif 000013
【図１２】
2006138901.tif 000014
【図１３】
2006138901.tif 000015
【図１４】
2006138901.tif 000016
【図１５】
2006138901.tif 000017